(57)【特許請求の範囲】
【請求項１】
射出装置より射出ノズルを介して溶融樹脂を金型空間部に射出する射出成形機に設けられる射出成形金型の溶融樹脂逆流防止装置であって、
前記射出ノズルに当接する金型の空間入口開口部に設けられ、かつ前記射出ノズルの当接により中心部が弾性変形して前記溶融樹脂の流入口となる前記空間入口開口部を形成し、前記射出ノズルが離れることにより形状が復帰する薄板状バネ鋼から構成される開閉装置と、
前記射出ノズルが前進・後退する中空部を有するとともにその外周部に形成されたねじで前記金型に螺合されることにより前記開閉装置を前記金型に固定するシート押さえと、を備えることを特徴とする射出成形金型の溶融樹脂逆流防止装置。
【発明の詳細な説明】
【０００１】
【産業上の利用分野】
本発明は射出成形機における射出成形金型の溶融樹脂逆流防止装置に関するものである。
【０００２】
【従来の技術】
射出装置における射出成形金型の従来技術として、例えば特開昭４９−５８１５６号公報に示されるものがある。これに開示された射出装置における射出成形金型は、図６に示すように構造簡単にして樹脂漏れや逆流を防止でき、またノズル内には勿論のことホットライナ５２を有するキャビティ５１のゲート５５にも装備することができる開閉装置である。
キャビティ５１に注入される溶融樹脂の通路の出口近傍にオリフィス５３を有し、このオリフィス５３を弾性を有するバルブプレート５４により閉塞または開放するものである。同バルブプレート５４はバネ板を湾曲又は折曲して形成した閉塞部と溶融樹脂の流通空間とを有し、同バルブプレート５４自体が有する弾性によって閉塞部をオリフィス５３に当設し得る構成よりなる。そしてオリフィス５３を閉塞する状態に前記出口とオリフィス５３との間の隙間に位置させた前記バルブプレート５４が、注入時の溶融樹脂圧を受けて変形したとき、オリフィス５３が開き溶融樹脂は流通空間を経て自由に出口へと流動する構成を具備するものである。
射出が完了すると同時にバルブプレート５４が復帰し、通路を閉塞する。これによってキャビティに射出された樹脂が逆流するのを防止するものであるがホットライナ５２よりの逆流は防止することができなかった。
【０００３】
【発明が解決しようとする課題】
このような従来技術においては、射出装置によって射出された溶融樹脂がホットライナの出口近傍に設けられたオリフィスのバルブシートによってキャビティよりの逆流は防止されるが、色型樹脂替等でノズルが当接するホットライナ入口部から後退する場合、ホットライナ内の溶融樹脂が逆流して周囲に散乱し、同樹脂が固化し、これを次の工程に入る前に取り除くのに時間を要し、製造工程に支障をきたしていた。
また同構造では、ホットライナ部の穴、又はノズルの穴をバルブシートの突起で閉塞するため、穴のくびれ部を必要とし、これは樹脂の流動抵抗を招いた、又開閉弁のためにバルブシートの可動空間が必要であり、同空間は樹脂溜まりとなり樹脂替、色替に時間がかかる。さらに樹脂の流動力で開閉するため作動が不完全となる虞れもあった。
そこで本発明は、前記従来の課題を解決して、樹脂溜まりの発生が無く、開閉弁が確実で構造が簡単な逆流を有効に抑止できる射出成形金型の溶融樹脂逆流防止装置を提供する。
【０００４】
【課題を解決するための手段】
このため本発明は、射出装置より射出ノズルを介して溶融樹脂を金型空間部に射出する射出成形機に設けられる射出成形金型の溶融樹脂逆流防止装置であって、前記射出ノズルに当接する金型の空間入口開口部に設けられ、かつ前記射出ノズルの当接により中心部が弾性変形して前記溶融樹脂の流入口となる前記空間入口開口部を形成し、前記射出ノズルが離れることにより形状が復帰する薄板状バネ鋼から構成される開閉装置と、前記射出ノズルが前進・後退する中空部を有するとともにその外周部に形成されたねじで前記金型に螺合されることにより前記開閉装置を前記金型に固定するシート押さえと、を備えてなるもので、これを課題解決のための手段とするものである。
【０００５】
【作用】
射出装置のノズルが前進工程において、ノズルの先端が開閉装置のバルブシートに当接前進することにより、閉じていた前記バルブシートを徐々に開放し、ノズルが金型空間入口開口部を封鎖しつつ溶融樹脂を射出し、同射出が完了すると、射出装置のノズルが金型空間入口開口部より後退すると瞬時に開閉装置のバルブシートが閉じ、金型空間入口開口部は遮断されるので、射出された溶融樹脂は金型空間入口開口部からノズル側へ逆流することが防止される。
【０００６】
【実施例】
以下本発明の実施例を図１〜図５によって説明する。なお、従来技術との共通部分については説明を省略し、相違する点についてのみ説明する。
〈第１実施例〉
本実施例は、開閉装置として中心部に複数のスリットを入れた薄板形状のバネ鋼製のバルブシートとしたものであり、図１〜図３によって説明する。
図１は開閉装置の閉弁時を示す断面図、図２は開閉装置の開弁時を示す断面図、図３はバルブシートの平面図である。
金型１の金型空間入口部６に図３に示すように、中心に複数のスリットを設けたバルブシート３を外周にねじ加工されたシート押さえ２によって金型１の入口部に固定した開閉装置である。次にその作用について説明する図示しない射出装置にセットされた射出ノズル４が図２のように前進してバルブシート３に当接することにより、バルブシート３のスリット部を押し開いた後、ニードルバルブ５が開き金型空間入口開口部６に溶融樹脂を射出する。色替、型替時で射出ノズル４を開口部６より離す時にはニードルバルブ５を閉じ、図示しない射出装置と共に後退させると同時にバルブシート３が元の状態に復元するので、金型空間入口開口部６に射出された溶融樹脂のノズル４側への逆流を防止可能とした。
【０００７】
〈第２実施例〉
第２実施例は、複数のシャッタにより開口部を塞ぐもので、２個のシャッタ方式を例に図４，図５によって説明する。
図４は開閉装置の閉弁時を示す断面図、図５は図４の開閉装置Ａ部の断面図である。
各シャッタ１３の一端に支点穴１３ｄを合わせ面１３ａにストッパ１９のための切欠き１３ｃを設け、ブラケット１２に保持した支点軸２０を支点穴１３ｄに挿入し、支点軸２０まわりに回転自在に取付ける。更にブラケット１２に設けた穴１２ａに作動ピン１４にスプリング１８と共に挿入し、その外側の穴１２ａに設けられたネジ部１５ａに調整軸１５をねじ込みナット１５にて固定する。ストッパピン１９は、２個のシャッタ１３が平行で合わせ面１３ａに隙間のできないように、又シャッタ１３の切欠き１３ｃと係合するようにブラケット１２に固設する。更に同開閉装置５０をボルト６０で金型１１に取付けたものである。
次に本実施例の前記第１実施例と相違する作用について説明する。射出ノズル４の前進によって上下一対のシャッタ１３の傾斜面１３ｂに射出ノズル４が当接することにより、各シャッタ１３は支点軸２０を中心に外側に回動し、開放状態となる。射出ノズル４が後退することにより穴１２ａ内のスプリング１８の復元力によって作動ピン１４を介して各シャッタ１３が支点軸２０を中心に回動し、ストッパピン１９に当接し２個のシャッタ１３の合わせ面１３ｂが接して入口開口部１６を塞ぎ、同入口開口部１６からの溶融樹脂のノズル側への逆流を有効に防止可能とした。
【０００９】
【発明の効果】
以上詳細に説明した如く本発明の溶融樹脂逆流防止装置によれば、射出装置の射出ノズルより金型空間入口開口部に射出された溶融樹脂が閉弁のために射出ノズルと金型とが離れた時にノズル側へ逆流して周囲に散乱することがなく、従って固化した樹脂を取り除く必要も無いので、そのために時間がかかり製造工程に支障をきたすことがない。
また本装置が樹脂の流れを妨げることもなく、同開閉装置の設置に伴う樹脂溜まりの発生もなく、色替、樹脂替が容易である。更に射出ユニットにより、樹脂通路の開閉を行うため、開閉動作が確実であり特別の動作回路も必要なく構造が簡単となり安価となる。
【図面の簡単な説明】
【図１】本発明の第１実施例に係る開閉装置の閉弁時の断面図である。
【図２】本発明の第１実施例に係る開閉装置の開弁時の断面図である。
【図３】本発明の第１実施例に係るバルブシートの平面図である。
【図４】本発明の第２実施例に係る開閉装置の閉弁時の断面図である。
【図５】本発明の第２実施例に係る開閉装置のＡ部の断面図である。
【図６】従来の溶融樹脂通路の開閉装置を示す断面図である。
【符号の説明】
１  金型、２  シート押さえ、３  バルブシート、４  ノズル、５  ニードルバルブ、６  金型空間入口開口部、１３，２３  シャッタ
【図１】
0003600284.tif 000002
【図２】
0003600284.tif 000003
【図３】
0003600284.tif 000004
【図４】
0003600284.tif 000005
【図５】
0003600284.tif 000006
【図６】
0003600284.tif 000007